(57)【要約】【課題】簡単かつコンパクトな構成で誤操作による操作部の破損を防止できる衣類処理装置を提供する。【解決手段】衣類処理装置は、開口部を有する外箱と、外箱の開口部に開閉可能に取り付けられたドア(２)と、ドア(２)の外縁側に開口部側に向かって突出するように設けられ、ドア(２)に回動可能に支持されたツメ部(１１)と、外箱の開口部の周縁部分に設けられ、ドア(２)が外箱の開口部を閉じた状態でツメ部(１１)が係止する係止部(４１ａ)と、ドア(２)に直線移動可能に支持された把手(１０)とを備える。ドア(２)が外箱の開口部を閉じた状態から把手(１０)を直線移動させることによって、係止部(４１ａ)に係止したツメ部(１１)が外れるようにツメ部(１１)を回動させる。【選択図】図１１
2018099182.tif 000002
【特許請求の範囲】
【請求項１】
開口部を有する外箱と、
上記外箱の開口部に開閉可能に取り付けられたドアと、
上記ドアの外縁側に上記開口部側に向かって突出するように設けられ、上記ドアに回動可能またはスライド可能に支持されたツメ部と、
上記外箱の開口部の周縁部分に設けられ、上記ドアが上記外箱の開口部を閉じた状態で上記ツメ部が係止する係止部と、
上記ドアに直線移動可能に支持された操作部と
を備え、
上記ドアが上記外箱の開口部を閉じた状態から上記操作部を直線移動させることによって、上記係止部に係止した上記ツメ部が外れるように上記ツメ部を回動またはスライドさせることを特徴とする衣類処理装置。
【請求項２】
請求項１に記載の衣類処理装置において、
上記ドアが上記外箱の開口部を閉じた状態から上記操作部を上記ドアの厚み方向に直線移動させることによって、上記係止部に係止した上記ツメ部が外れるように上記ツメ部を回動またはスライドさせることを特徴とする衣類処理装置。
【請求項３】
請求項１に記載の衣類処理装置において、
上記ドアが上記外箱の開口部を閉じた状態から上記操作部を上記ドアの外縁に沿った方向に直線移動させることによって、上記係止部に係止した上記ツメ部が外れるように上記ツメ部を回動またはスライドさせることを特徴とする衣類処理装置。
【請求項４】
請求項１から３までのいずれか１つに記載の衣類処理装置において、
上記操作部は、把手であることを特徴とする衣類処理装置。
【請求項５】
請求項１から３までのいずれか１つに記載の衣類処理装置において、
上記操作部は、押しボタンまたはスライドボタンであることを特徴とする衣類処理装置。
【発明の詳細な説明】
【技術分野】
【０００１】
この発明は、衣類処理装置に関し、ドラム式洗濯機やドラム式乾燥機などの衣類処理装置に関する。
【背景技術】
【０００２】
従来、衣類処理装置としては、ドアに取り付けられた取手形状の操作部を備えたものがある(例えば、特許第５５９２１７９号(特許文献１)参照)。
【０００３】
この衣類処理装置では、ユーザーがドアから突出した操作部を握持し、操作部を手前に回動させることにより、ドアと外箱との係合が解除されてドアが開く。
【先行技術文献】
【特許文献】
【０００４】
【特許文献１】特許第５５９２１７９号
【発明の概要】
【発明が解決しようとする課題】
【０００５】
ところで、上記衣類処理装置では、ユーザーの中には操作部を手前に回動させる方法が理解できずに、ボタンのようなものと誤解し、誤って操作部を奥側に押して、操作部が破損するという問題がある。
【０００６】
また、上記衣類処理装置では、取手形状の操作部を回動させるため、操作部用の回動機構がドアの内部空間に必要となり、ドアの内部空間に占める回動機構の割合が高くなったり、ドアの外径が大きくなったりする。
【０００７】
そこで、この発明の課題は、簡単かつコンパクトな構成で誤操作による操作部の破損を防止できる衣類処理装置を提供することにある。
【課題を解決するための手段】
【０００８】
上記課題を解決するため、この発明の衣類処理装置は、
開口部を有する外箱と、
上記外箱の開口部に開閉可能に取り付けられたドアと、
上記ドアの外縁側に上記開口部側に向かって突出するように設けられ、上記ドアに回動可能またはスライド可能に支持されたツメ部と、
上記外箱の開口部の周縁部分に設けられ、上記ドアが上記外箱の開口部を閉じた状態で上記ツメ部が係止する係止部と、
上記ドアに直線移動可能に支持された操作部と
を備え、
上記ドアが上記外箱の開口部を閉じた状態から上記操作部を直線移動させることによって、上記係止部に係止した上記ツメ部が外れるように上記ツメ部を回動またはスライドさせることを特徴とする。
【発明の効果】
【０００９】
以上より明らかなように、この発明によれば、簡単かつコンパクトな構成で誤操作による操作部の破損を防止できる衣類処理装置を実現することができる。
【図面の簡単な説明】
【００１０】
【図１】図１はこの発明の第１実施形態の衣類処理装置の一例としてのドラム式洗濯乾燥機の斜視図である。
【図２】図２は上記ドラム式洗濯乾燥機のドアを開けた状態の斜視図である。
【図３】図３は上記ドアの正面図である。
【図４】図４は上記ドアの右側面図である。
【図５】図５は上記ドアの裏面図である。
【図６】図６は上記ドアの押さえ部材を外した状態の右側面図である。
【図７】図７は上記ドアの押さえ部材を外した状態の裏面図である。
【図８】図８は図７の要部の拡大図である。
【図９】図９は図７のＡ−Ａ線から見た断面図である。
【図１０】図１０は図９のツメ部を含む要部の拡大断面図である。
【図１１】図１１は図１０の状態からツメ部と係止部との係止が外れたときの断面図である。
【図１２】図１２はこの発明の第２実施形態の衣類処理装置の一例としてのドラム式洗濯乾燥機のドアの正面図である。
【図１３】図１３は上記ドアの裏面図である。
【図１４】図１４は上記ドアの押さえ部材を外した状態の裏面図である。
【図１５】図１５は図１４のＢ−Ｂ線から見た断面図である。
【図１６】図１６は図１５のツメ部を含む要部の拡大断面図である。
【図１７】図１７は図１５のＣ−Ｃ線から見た断面図である。
【図１８】図１８は図１６の状態からツメ部と係止部との係止が外れたときの断面図である。
【図１９】図１９は図１７の状態からツメ部と係止部との係止が外れたときの断面図である。
【図２０】図２０はこの発明の第３実施形態の衣類処理装置の一例としてのドラム式洗濯乾燥機のドアの裏面図である。
【図２１】図２１は上記ドアの押さえ部材を外した状態の裏面図である。
【図２２】図２２は図２１のＤ−Ｄ線から見た断面図である。
【図２３】図２３は図２２のツメ部を含む要部の拡大断面図である。
【図２４】図２４は図２２のＥ−Ｅ線から見た断面図である。
【図２５】図２５は上記ドアのスライドボタンを図２０の状態から周方向下向きにスライドさせた状態の裏面図である。
【図２６】図２６は上記ドアの押さえ部材を外した状態の裏面図である。
【図２７】図２７は図２３の状態からツメ部と係止部との係止が外れたときの断面図である。
【図２８】図２８は図２４の状態からツメ部と係止部との係止が外れたときの断面図である。
【発明を実施するための形態】
【００１１】
以下、この発明の衣類処理装置を図示の実施の形態により詳細に説明する。
【００１２】
〔第１実施形態〕
図１はこの発明の第１実施形態の衣類処理装置の一例としてのドラム式洗濯乾燥機の斜視図を示している。
【００１３】
この第１実施形態のドラム式洗濯乾燥機は、図１に示すように、外箱１と、開口部４(図２に示す)を開閉する円盤形状のドア２と、外箱１内に配置された洗濯槽(図示せず)と、その洗濯槽内に回転可能に配置された回転ドラム３(図２に示す)を備える。また、外箱１の前面上側に、運転動作を選択して指示入力すると共に運転状態を表示する操作パネル６を設けている。また、外箱１の天面の左後面側に給水ホース接続口７と風呂水吸水口８を設けている。また、外箱１の天面の右後面側に乾燥フィルタ装置９を装着している。また、外箱１の前面の左上側に洗剤ケース６１を装着し、外箱１の前面の左下側に糸くずフィルタ装置６２を装着している。なお、図１において、６３は排水ホース接続口である。また、ドア２の外縁側に把手１０を取り付けている。この把手１０は、操作部の一例である。
【００１４】
また、図２はドラム式洗濯乾燥機のドア２を開けた状態の斜視図を示している。
【００１５】
図２に示すように、略円盤状のドア２を、ドア取付金具２０と外箱１側のヒンジ部３０を介して外箱１の開口部４に取り付けている。外箱１の開口部４の左側に設けられたヒンジ部３０は、ドア２を回動可能に支持する。なお、外箱１の開口部４の内縁側に環状の枠部材５を取り付けている。
【００１６】
また、ドア２の外縁側かつ把手１０近傍の裏面側にツメ部１１を設けている。一方、外箱１の開口部４の右側に、係止部４１ａを有するロック機構４０を設けている。ドア２を閉めた状態でツメ部１１が係止部４１ａと係止する(図１０参照)。
【００１７】
なお、ヒンジ部３０を外箱１の開口部４の右側に設け、ロック機構４０を外箱１の開口部４の左側に設けてもよい。
【００１８】
ドア２が閉められると、ドア２のツメ部１１が外箱１の係止部４１ａに係止する一方、ドア２を閉じた状態で、把手１０が手前に引かれることによって、ツメ部１１をドア２の中央側に向けて回動させて、ツメ部１１が係止部４１ａから外れる。
【００１９】
また、外箱１内に配置された洗濯槽(図示せず)および回転ドラム３は、ドア２側に開口しており、ドア２を開くことにより外箱１の開口部４を介して回転ドラム３内に洗濯物(図示せず)を出し入れできる。また、ドア２を閉じることで、洗濯槽は水密かつ気密が保たれる。
【００２０】
また、上記ドラム式洗濯乾燥機は、外箱１内の背面側下部に配置された乾燥用のヒートポンプユニット(図示せず)と、そのヒートポンプユニットを介して洗濯槽内の空気を循環させるための循環経路を備えている。
【００２１】
上記構成のドラム式洗濯乾燥機では、操作パネル６(図１に示す)から運転コースの選択や各工程の時間設定などが入力されると、その選択情報や設定情報が入力された制御装置(図示せず)によって、例えば洗濯から乾燥までの一連の動作を実行する。
【００２２】
図３は上記ドア２の正面図を示している。図３において、２１は環状の支持枠、２６は透明樹脂製の前面カバーである。図３に示すように、ドア２の正面視において、ドア２の外縁側かつ右側に把手１０を配置している。
【００２３】
また、図４は上記ドア２の右側面図を示し、図５はドア２の裏面図を示している。ドア２は、図４,図５に示すように、環状の支持枠２１と、その環状の支持枠２１の内側に取り付けられた円錐台形状のガラス製の窓部材２２と、環状の支持枠２１の正面視左側(図５では右側)に取り付けられた接続部材２４と、環状の支持枠２１の裏面側に取り付けられた環状の押さえ部材２５とを有している。接続部材２４には、図２に示すドア取付金具２０を介してヒンジ部３０(図２に示す)が接続される。
【００２４】
また、ドア２は、正面視右側(図５では左側)に把手１０とツメ部１１を有する。図５では、ツメ部１１は、図２に示す外箱１の係止部４１ａに係止可能な位置に開口部４(図２に示す)側に向かって突出している。
【００２５】
図６は上記ドア２の押さえ部材２５を外した状態の右側面図を示し、図７はドア２の押さえ部材２５を外した状態の裏面図を示し、図８は図７の要部の拡大図を示している。図６,図７,図８において、図１〜図５に示す構成と同一の構成部には同一参照番号を付している。
【００２６】
図６,図７,図８に示すように、把手１０は、把手本体１０ａと、把手本体１０ａの両端から後面側に向かって延び、透明樹脂製の前面カバー２６を貫通するアーム部１０ｂと、アーム部１０ｂの後端間を連結する連結部１０ｃとを有する。この把手１０のアーム部１０ｂは、前面カバー２６に設けられた穴(図示せず)に出没自在に貫通している。また、把手１０の連結部１０ｃは、ツメ部１１の基部１１ａによって後方に向かって付勢されている。
【００２７】
また、環状の支持枠２１の裏面側に軸１４が取り付けられている。この軸１４によってツメ部１１を回動自在に支持している。また、軸１４に巻装されたコイルバネ１５により、ツメ部１１を径方向外向に付勢している。
【００２８】
ここで、把手１０を手前(図８の紙面に垂直な方向の下向き)に引くと直線移動して、把手１０の連結部１０ｃが、軸１４に回動自在に支持されたツメ部１１の基部１１ａを押さえつけることにより、基部１１ａに連動してツメ部１１が、コイルバネ１５の付勢力に抗して係止部４１ａ(図１０に示す)から外れるように径方向内向に回動する。
【００２９】
図９は図７のＡ−Ａ線から見た断面図を示している。図９において、図１〜図５に示す構成と同一の構成部には同一参照番号を付している。
【００３０】
また、図１０は図９のツメ部１１を含む要部の拡大を示しており、この図１０は、ツメ部１１が係止部４１ａに係止した状態を表している。図１０において、図１〜図５に示す構成と同一の構成部には同一参照番号を付している。なお、図１０において、２２は、ガラス製の窓部材、２６は透明樹脂製の前面カバーである。
【００３１】
図１０に示すように、ロック機構４０のハウジング４１内に、スライド部４２がドア２の径方向(図１０中の左右方向)に沿ってスライド可能に収納されている。
【００３２】
図１０に示すように、ツメ部１１は、基部１１aと、その基部１１aからロック機構４０側に延びるアーム部１１bと、アーム部１１bの先端から径方向外向に屈曲する鉤部１１cを有している。ドア２を閉めた状態においてツメ部１１が係止部４１ａと係止する。
【００３３】
また、ツメ部１１の基部１１aは、軸１４を中心に回動可能に支持されている。
【００３４】
また、ハウジング４１のツメ部１１に対向する箇所に挿入口４３を設けている。ハウジング４１の挿入口４３の径方向外側の縁部分に係止部４１ａを設けると共に、ハウジング４１の係止部４１ａ側かつ挿入口４３の縁に、テーパー面４１ｂを形成している。
【００３５】
ハウジング４１内のスライド部４２には、ツメ部１１の鉤部１１cが没入する凹部４２ａを設けている。
【００３６】
ドア２が閉じているときは、スライド部４２の凹部４２ａにツメ部１１の鉤部１１cが没入し、かつ、スライド部４２が径方向外側に移動した状態で、ツメ部１１の鉤部１１cがハウジング４１の係止部４１ａに係止している。
【００３７】
このとき、例えば洗濯工程を実行するとき、ロック機構４０に設けたプランジャなどを駆動してスライド部４２の動きを規制することによって、把手１０が手前に引かれてもツメ部１１が係止部４１ａから外れないようにしている。
【００３８】
次に、図１０の状態から把手１０を手前に引くと、図１１に示すように、把手１０が手前に直線移動して、把手１０の連結部１０ｃがツメ部１１の基部１１ａを押さえつけることにより、ツメ部１１が、コイルバネ１５の付勢力に抗して係止部４１ａ(図１０に示す)から外れるように径方向内向に回動する。これにより、ツメ部１１と係止部４１ａとの係止が外れる。
【００３９】
そうして、把手１０を手前に引っ張り続けると、ツメ部１１と係止部４１ａとの係止が外れた図１１の状態から、スライド部４２の凹部４２ａからツメ部１１の鉤部１１cが抜け、ドア２が開いた状態になる。
【００４０】
次に、ドア２が開いた状態で把手１０から手を離すと、ツメ部１１は、コイルバネ１５(図８に示す)の付勢力により、外側方向に回動し、元の位置に戻る。
【００４１】
一方、ドア２が開いた状態からドア２が押し込まれると、ツメ部１１の鉤部１１cの湾曲面が、ハウジング４１のテーパー面４１ｂに当接して径方向内向(図１１において左方向)に押されて、ツメ部１１が中央側に回動する。これにより、スライド部４２の凹部４２ａ内にツメ部１１の鉤部１１cが没入する。
【００４２】
そして、ツメ部１１の鉤部１１cがスライド部４２の凹部４２ａ内に没入すると、ツメ部１１が、コイルバネ１５の付勢力により、中央側とは反対の外側方向に回動する。これにより、ツメ部１１の鉤部１１cと共にスライド部４２が外側方向にスライドして、ドア２側のツメ部１１は、ハウジング４１の係止部４１ａに係止した状態に保持される。
【００４３】
上記構成のドラム式洗濯乾燥機において、ドア２が外箱１の開口部４を閉じた状態から把手１０(操作部)を直線移動させることによって、ツメ部１１が回動して係止部４１ａに係止したツメ部１１が外れてドア２が開く。上記把手１０の移動が回動ではなく直線移動であるので、ドア２内に大きなスペースが必要となる把手用の回動機構が必要なく、簡単かつコンパクトな構成で誤操作による把手１０の破損を防止できる。
【００４４】
また、上記ドア２が外箱１の開口部４を閉じた状態から把手１０を引いてドア２の厚み方向に直線移動させることによって、ツメ部１１が回動して係止部４１ａに係止したツメ部１１が外れてドア２が開く。これにより、上記把手１０の移動機構を容易にコンパクトにできる。また、ドア２を引っ張る力で把手１０を操作できる。
【００４５】
また、上記操作部として把手１０を用いることによって、把手１０を引っ張ればよいことをユーザーが容易に認識でき、操作性が向上する。
【００４６】
上記第１実施形態のドラム式洗濯乾燥機では、操作部としての把手１０をドア２の厚み方向に直線移動させたが、この発明は、操作部がドアに直線移動可能に支持されていればよい。
【００４７】
〔第２実施形態〕
図１２はこの発明の第２実施形態の衣類処理装置の一例としてのドラム式洗濯乾燥機のドア２の正面図を示している。この第２実施形態のドラム式洗濯乾燥機は、操作部を除いて第１実施形態のドラム式洗濯乾燥機と同一の構成をしており、図１,図２を援用する。図１２において、２１は環状の支持枠、２６は透明樹脂製の前面カバーである。
【００４８】
図１３は上記ドア２の裏面図を示し、図１４は上記ドア２の押さえ部材１２５を外した状態の裏面図を示している。
【００４９】
上記ドア２は、図１３,図１４に示すように、環状の支持枠２１と、その環状の支持枠２１の内側に取り付けられた円錐台形状のガラス製の窓部材２２と、環状の支持枠２１の正面視左側(図１４では右側)に取り付けられた接続部材２４と、環状の支持枠２１の裏面側に取り付けられた環状の押さえ部材１２５とを有している。接続部材２４には、図２に示すドア取付金具２０を介してヒンジ部３０(図２に示す)が接続される。
【００５０】
また、上記ドア２の裏面側かつツメ部１１の上側に、操作部の一例としての押しボタン１１０を設けている。この押しボタン１１０は、ドア２の厚み方向(図１３の紙面に垂直な方向)に直線移動可能に支持されている。
【００５１】
ここで、ツメ部１１の回動機構は、第１実施形態と同様の構成をしているので、説明を省略する。
【００５２】
図１５は図１４のＢ−Ｂ線から見た断面図を示している。図１５において、図１２〜図１４に示す構成と同一の構成部には同一参照番号を付している。
【００５３】
図１６は図１５のツメ部１１を含む要部の拡大断面図を示し、図１７は図１５のＣ−Ｃ線から見た断面図を示している。この図１６,図１７は、ツメ部１１が係止部４１ａに係止した状態を表している。図１６,図１７において、図１２〜図１５に示す構成と同一の構成部には同一参照番号を付している。なお、図１６,図１７において、２１は環状の支持枠、２２はガラス製の窓部材、２６は透明樹脂製の前面カバーである。
【００５４】
図１６に示すように、ロック機構４０のハウジング４１内に、スライド部４２がドア２の径方向(図１６中の左右方向)に沿ってスライド可能に収納されている。
【００５５】
また、図１７に示すように、押しボタン１１０は、本体部１１０ａと、本体部１１０ａの下端から下方に向かって延びる端部１１０ｂとを有する。なお、この実施形態では、本体部１１０ａと端部１１０ｂは一体に形成したが、本体部１１０ａと端部１１０ｂを別々に形成してもよい。
【００５６】
この押しボタン１１０の端部１１０ｂは、ドア２が閉じているとき、ツメ部１１の基部１１ａによって後方(図１７の左側)に向かって付勢されている。
【００５７】
図１６に示すように、ドア２が閉じているときは、スライド部４２の凹部４２ａにツメ部１１の鉤部１１cが没入し、かつ、スライド部４２が径方向外側に移動した状態で、ツメ部１１の鉤部１１cがハウジング４１の係止部４１ａに係止している。なお、ドア２を閉じているとき、押しボタン１１０と外箱１の開口部４(図２に示す)の縁との間に、手が入る空間を設けている。
【００５８】
次に、図１６,図１７の状態から、ドア２の押しボタン１１０を含む部分を把持すると、押しボタン１１０が押されて手前に直線移動し、図１８,図１９に示すように、押しボタン１１０の直線移動に伴って、押しボタン１１０の端部１１０ｂが、ツメ部１１の基部１１ａを前方(図１９の右側)に向かって押さえつけることにより、ツメ部１１が、コイルバネ１５の付勢力に抗して係止部４１ａ(図２７に示す)から外れるように径方向内向に回動する。これにより、ツメ部１１と係止部４１ａとの係止が外れる。
【００５９】
図１８,図１９は、図１６の状態からツメ部１１と係止部４１ａとの係止が外れたときの断面図である。
【００６０】
そして、ドア２を手前に引っ張り続けると、ツメ部１１と係止部４１ａとの係止が外れた図１８,図１９の状態から、スライド部４２の凹部４２ａからツメ部１１の鉤部１１cが抜け、ドア２が開いた状態になる。
【００６１】
次に、ドア２が開いた状態で押しボタン１１０から手を離すと、ツメ部１１は、コイルバネ１５(図１７に示す)の付勢力により、外側方向に回動し、元の位置に戻る。
【００６２】
一方、ドア２が開いた状態からドア２が押し込まれると、ツメ部１１の鉤部１１cの湾曲面が、ハウジング４１のテーパー面４１ｂに当接して径方向内向(図１８において左方向)に押されて、ツメ部１１が中央側に回動する。これにより、スライド部４２の凹部４２ａ内にツメ部１１の鉤部１１cが没入する。
【００６３】
そして、ツメ部１１の鉤部１１cがスライド部４２の凹部４２ａ内に没入すると、ツメ部１１が、コイルバネ１５の付勢力により、中央側とは反対の外側方向に回動する。これにより、ツメ部１１の鉤部１１cと共にスライド部４２が外側方向にスライドして、ドア２側のツメ部１１は、ハウジング４１の係止部４１ａに係止した状態に保持される。
【００６４】
このように、上記ドラム式洗濯乾燥機では、ドア２の押しボタン１１０を含む部分を把持すると同時に、ツメ部１１と係止部４１ａとの係止が外れてドア２が開く。
【００６５】
上記構成のドラム式洗濯乾燥機において、ドア２が外箱１の開口部４を閉じた状態から押しボタン１１０(操作部)を直線移動させることによって、ツメ部１１が回動して係止部４１ａに係止したツメ部１１が外れてドア２が開く。上記把手１０の移動が回動ではなく直線移動であるので、ドア２内に大きなスペースが必要となる操作部用の回動機構が必要なく、簡単かつコンパクトな構成で誤操作による把手１０の破損を防止できる。
【００６６】
また、上記ドア２が外箱１の開口部４を閉じた状態から押しボタン１１０を引いてドア２の厚み方向に直線移動させることによって、ツメ部１１が回動して係止部４１ａに係止したツメ部１１が外れてドア２が開く。これにより、上記把手１０の移動機構を容易にコンパクトにできる。また、ドア２を引っ張る力で把手１０を操作できる。
【００６７】
また、上記ドラム式洗濯乾燥機では、操作部である押しボタン１１０がドア２から突出した部分がないため、衣類などの引っ掛かりがなくなると共に、ドア２の外観形状を損なわないので、デザイン性を向上できる。
【００６８】
また、上記操作部である押しボタン１１０の移動機構は、コンパクト化が容易なため、ドアの透明部分を広げたり(不透明部材の環状の支持枠２１の枠幅を小さくできる)、ドア自体を小さくしたりすることが可能になる。
【００６９】
〔第３実施形態〕
図２０はこの発明の第３実施形態の衣類処理装置の一例としてのドラム式洗濯乾燥機のドア２の裏面図を示し、図２１は上記ドア２の押さえ部材２２５を外した状態の裏面図を示している。この第３実施形態のドラム式洗濯乾燥機は、操作部を除いて第１実施形態のドラム式洗濯乾燥機と同一の構成をしており、図１,図２,図１２を援用する。
【００７０】
上記ドア２は、図２０,図２１に示すように、環状の支持枠２１と、その環状の支持枠２１の内側に取り付けられた円錐台形状のガラス製の窓部材２２と、環状の支持枠２１の正面視左側(図１４では右側)に取り付けられた接続部材２４と、環状の支持枠２１の裏面側に取り付けられた環状の押さえ部材２２５とを有している。接続部材２４には、図２に示すドア取付金具２０を介してヒンジ部３０(図２に示す)が接続される。
【００７１】
また、上記ドア２の裏面側かつツメ部１１の上側に、操作部の一例としてのスライドボタン２１０を設けている。このスライドボタン２１０は、ドア２の外縁に沿った方向に直線移動可能に支持されている。
【００７２】
ここで、ツメ部１１の回動機構は、第１実施形態と同様の構成をしているので、説明を省略する。
【００７３】
図２２は図２１のＤ−Ｄ線から見た断面図を示している。図２２において、図２０,図２１に示す構成と同一の構成部には同一参照番号を付している。
【００７４】
また、図２３は図２２のツメ部１１を含む要部の拡大断面図を示し、図２４は図２２のＥ−Ｅ線から見た断面図を示している。この図２３,図２４は、ツメ部１１が係止部４１ａに係止した状態を表している。図２３,図２４において、図２０〜図１４に示す構成と同一の構成部には同一参照番号を付している。なお、図２３,図２４において、２１は環状の支持枠、２６は透明樹脂製の前面カバーである。
【００７５】
図２３に示すように、ロック機構４０のハウジング４１内に、スライド部４２がドア２の径方向(図２３中の左右方向)に沿ってスライド可能に収納されている。
【００７６】
また、図２４に示すように、スライドボタン２１０は、本体部２１０ａと、本体部２１０ａから下方に向かって延びる中間部２１０ｂと、中間部２１０ｂの下端から下方に向かって延びる端部２１０ｃとを有する。中間部２１０ｂの後面側に、端部２１０ｃから本体部２１０ａに向かって徐々に厚くなるようにテーパー面２１１を形成している。
【００７７】
このスライドボタン２１０の端部２１０ｃは、ドア２が閉じているとき、ツメ部１１の基部１１ａによって後方に向かって付勢されている。
【００７８】
図２３に示すように、ドア２が閉じているときは、スライド部４２の凹部４２ａにツメ部１１の鉤部１１cが没入し、かつ、スライド部４２が径方向外側に移動した状態で、ツメ部１１の鉤部１１cがハウジング４１の係止部４１ａに係止している。
【００７９】
次に、図２３,図２４の状態から図２５,図２６に示すように、スライドボタン２１０を下方にスライドさせると、ツメ部１１と係止部４１ａとの係止が外れる。
【００８０】
図２５は上記ドア２のスライドボタン２１０を図２０の状態から周方向下向きにスライドさせた状態の裏面図であり、図２６は上記ドア２の押さえ部材２２５を外した状態の裏面図である。
【００８１】
図２７は図２３の状態からツメ部１１と係止部４１ａとの係止が外れたときの断面図を示し、図２８は図２４の状態からツメ部１１と係止部４１ａとの係止が外れたときの断面図を示している。
【００８２】
まず、図２８に示すように、スライドボタン２１０を下方にスライドさせると、スライドボタン２１０の下方への直線移動に伴って、スライドボタン２１０のテーパー面２１１が、ツメ部１１の基部１１ａを前方に向かって押さえつける。これにより、ツメ部１１が、コイルバネ１５の付勢力に抗して係止部４１ａ(図２７に示す)から外れるように径方向内向に回動して、ツメ部１１と係止部４１ａとの係止が外れる。
【００８３】
そうして、ドア２を手前に引っ張ると、ツメ部１１と係止部４１ａとの係止が外れた図２７,図２８の状態から、スライド部４２の凹部４２ａからツメ部１１の鉤部１１cが抜け、ドア２が開いた状態になる。
【００８４】
次に、ドア２が開いた状態でスライドボタン２１０から手を離すと、ツメ部１１は、コイルバネ１５(図２８に示す)の付勢力により、外側方向に回動し、元の位置に戻る。
【００８５】
一方、ドア２が開いた状態からドア２が押し込まれると、ツメ部１１の鉤部１１cの湾曲面が、ハウジング４１のテーパー面４１ｂに当接して径方向内向(図２７において左方向)に押されて、ツメ部１１が中央側に回動する。これにより、スライド部４２の凹部４２ａ内にツメ部１１の鉤部１１cが没入する。
【００８６】
そして、ツメ部１１の鉤部１１cがスライド部４２の凹部４２ａ内に没入すると、ツメ部１１が、コイルバネ１５の付勢力により、中央側とは反対の外側方向に回動する。これにより、ツメ部１１の鉤部１１cと共にスライド部４２が外側方向にスライドして、ドア２側のツメ部１１は、ハウジング４１の係止部４１ａに係止した状態に保持される。
【００８７】
なお、ドア２は、ヒンジ部３０にてばねにより開方向に付勢されており、ツメ部１１が係止部４１ａから外れると、上記ばねの付勢力により自動的に開く。
【００８８】
上記構成のドラム式洗濯乾燥機において、ドア２が外箱１の開口部４を閉じた状態からスライドボタン２１０(操作部)を直線移動させることによって、ツメ部１１が回動して係止部４１ａに係止したツメ部１１が外れてドア２が開く。上記スライドボタン２１０の移動が回動ではなく直線移動であるので、ドア２内に大きなスペースが必要となる操作部用の回動機構が必要なく、簡単かつコンパクトな構成で誤操作によるスライドボタン２１０の破損を防止できる。
【００８９】
また、上記ドア２が外箱１の開口部４を閉じた状態からスライドボタン２１０(操作部)をドア２の外縁に沿った方向に直線移動させることによって、ツメ部１１が回動して係止部４１ａに係止したツメ部１１が外れてドア２が開くので、スライドボタン２１０の移動機構を容易にコンパクトにできる。また、ドア２を開くときはスライドボタン２１０を下方にスライドしてから開く必要があり、単純な引っ張り力ではスライドボタン２１０を操作できず、誤ってドア２が開かないようにできる。
【００９０】
上記第１〜第３実施形態では、衣類処理装置としてのドラム式洗濯乾燥機について説明したが、衣類処理装置はこれに限らず、ドラム式洗濯機やドラム式乾燥機あるいはドラム式でない構成の洗濯機や乾燥機などの衣類処理装置にこの発明を適用してもよい。
【００９１】
また、上記第１〜第３実施形態では、衣類処理装置として円盤形状のドア２を有するドラム式洗濯乾燥機について説明したが、矩形状のドアを有する衣類処理装置であってもよい。
【００９２】
また、上記第１〜第３実施形態では、ドア２に回動可能に支持されたツメ部１１を用いたドラム式洗濯乾燥機について説明したが、ドアにスライド可能に支持されたツメ部を用いたものにこの発明を適用してもよい。
【００９３】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００９４】
この発明および実施形態をまとめると、次のようになる。
【００９５】
この発明の衣類処理装置は、
開口部４を有する外箱１と、
上記外箱１の開口部４に開閉可能に取り付けられたドア２と、
上記ドア２の外縁側に上記開口部４側に向かって突出するように設けられ、上記ドア２に回動可能またはスライド可能に支持されたツメ部１１と、
上記外箱１の開口部４の周縁部分に設けられ、上記ドア２が上記外箱１の開口部４を閉じた状態で上記ツメ部１１が係止する係止部４１ａと、
上記ドア２に直線移動可能に支持された操作部１０と
を備え、
上記ドア２が上記外箱１の開口部４を閉じた状態から上記操作部１０を直線移動させることによって、上記係止部４１ａに係止した上記ツメ部１１が外れるように上記ツメ部１１を回動またはスライドさせることを特徴とする。
【００９６】
上記構成によれば、ドア２が外箱１の開口部４を閉じた状態から操作部１０を直線移動させることによって、ツメ部１１が回動(またはスライド)して係止部４１ａに係止したツメ部１１が外れてドア２が開く。上記操作部１０の移動が回動ではなく直線移動であるので、ドア２内に大きなスペースが必要となる操作部１０用の回動機構が必要なく、簡単かつコンパクトな構成で誤操作による操作部１０の破損を防止できる。
【００９７】
また、一実施形態の衣類処理装置では、
上記ドア２が上記外箱１の開口部４を閉じた状態から上記操作部１０を上記ドア２の厚み方向に直線移動させることによって、上記係止部４１ａに係止した上記ツメ部１１が外れるように上記ツメ部１１を回動またはスライドさせる。
【００９８】
上記実施形態によれば、ドア２が外箱１の開口部４を閉じた状態から操作部１０をドア２の厚み方向に直線移動させることによって、ツメ部１１が回動(またはスライド)して係止部４１ａに係止したツメ部１１が外れてドア２が開く。これにより、上記操作部１０の移動機構を容易にコンパクトにできる。例えば、操作部１０をドア２の厚み方向の手前に移動させることでドア２を開くようにした場合、ドア２を引っ張る力で操作部１０を操作できる。
【００９９】
また、一実施形態の衣類処理装置では、
上記ドア２が上記外箱１の開口部４を閉じた状態から上記操作部１０を上記ドア２の外縁に沿った方向に直線移動させることによって、上記係止部４１ａに係止した上記ツメ部１１が外れるように上記ツメ部１１を回動またはスライドさせる。
【０１００】
上記実施形態によれば、ドア２が外箱１の開口部４を閉じた状態から操作部１０をドア２の外縁に沿った方向に直線移動させることによって、ツメ部１１が回動(またはスライド)して係止部４１ａに係止したツメ部１１が外れてドア２が開く。これにより、上記操作部１０の移動機構を容易にコンパクトにできる。例えば、操作部１０をドア２の外縁に沿った方向に移動させることでドア２を開くようにした場合、ドア２を開くときの引っ張り力では操作部１０を操作できず、誤ってドア２が開かないようにできる。
【０１０１】
また、一実施形態の衣類処理装置では、
上記操作部１０は、把手である。
【０１０２】
上記実施形態によれば、操作部１０として把手を用いることによって、操作部１０を引っ張ればよいことをユーザーが容易に認識でき、操作性が向上する。
【０１０３】
また、一実施形態の衣類処理装置では、
上記操作部は、押しボタンまたはスライドボタンである。
【０１０４】
上記実施形態によれば、操作部である押しボタン１１０またはスライドボタン２１０がドア２から突出した部分がないようにでき、衣類などの引っ掛かりがなくなると共に、ドア２の外観形状を損なわないので、デザイン性を向上できる。
【符号の説明】
【０１０５】
１…外箱
２…ドア
３…回転ドラム
４…開口部
５…環状の枠部材
６…操作パネル
７…給水ホース接続口
８…風呂水吸水口
９…乾燥フィルタ装置
１０…把手(操作部)
１０ａ…把手本体
１０ｂ…アーム部
１０ｃ…連結部
１１…ツメ部
１１ａ…基部
１１ｂ…アーム部
１１ｃ…鉤部
１４…軸
１５…コイルバネ
２０…ドア取付金具
２１…環状の支持枠
２２…窓部材
２４…接続部材
２５,１２５,２２５…環状の押さえ部材
２６…前面カバー
３０…ヒンジ部
４０…ロック機構
４１…ハウジング
４１ａ…係止部
４１ｂ…テーパー面
４２…スライド部
４２ａ…凹部
４３…挿入口
６１…洗剤ケース
６２…糸くずフィルタ装置
６３…排水ホース接続口
１１０…押しボタン(操作部)
２１０…スライドボタン(操作部)
【図１】
2018099182.tif 000003
【図２】
2018099182.tif 000004
【図３】
2018099182.tif 000005
【図４】
2018099182.tif 000006
【図５】
2018099182.tif 000007
【図６】
2018099182.tif 000008
【図７】
2018099182.tif 000009
【図８】
2018099182.tif 000010
【図９】
2018099182.tif 000011
【図１０】
2018099182.tif 000012
【図１１】
2018099182.tif 000013
【図１２】
2018099182.tif 000014
【図１３】
2018099182.tif 000015
【図１４】
2018099182.tif 000016
【図１５】
2018099182.tif 000017
【図１６】
2018099182.tif 000018
【図１７】
2018099182.tif 000019
【図１８】
2018099182.tif 000020
【図１９】
2018099182.tif 000021
【図２０】
2018099182.tif 000022
【図２１】
2018099182.tif 000023
【図２２】
2018099182.tif 000024
【図２３】
2018099182.tif 000025
【図２４】
2018099182.tif 000026
【図２５】
2018099182.tif 000027
【図２６】
2018099182.tif 000028
【図２７】
2018099182.tif 000029
【図２８】
2018099182.tif 000030